(57)【特許請求の範囲】
【請求項１】
柱と、この柱の上端の螺子部に、回転体を備えた筒部を螺着し、この筒部に設けた本体部を備えた前記回転体を、前記柱に支持し、この回転体の放射方向に取付けた複数の螺孔に複数本の防除杆の螺子部を螺着するとともに、この防除杆には、一個の螺孔を開設し、この一個の螺孔に一個の風受け部の螺子部を、螺着する構成とした犬、猫、害虫、又は鳥除け装置であって、
前記防除杆は、０．５ｍ〜２ｍの長さを有するとともに、この防除杆は、前記回転体に取付け時、水平状態を確保できるプラスチック、又はステンレス、カーボンファイバーの何れかでなる素材で構成したことを特徴とする犬、猫、害虫、又は鳥除け装置。
【請求項２】
柱と、この柱の上端の螺子部に、回転体を備えた筒部を螺着し、この筒部に設けた本体部を備えた前記回転体を、前記柱に支持し、この回転体の放射方向に取付けた複数の螺孔に複数本の防除杆の螺子部を螺着するとともに、この複数本の防除杆の間に、前記回転体の放射方向に取付けた複数の螺孔に複数本の支持杆を螺着し、この支持杆には、一個の螺孔を開設し、この一個の螺孔に一個の風受け部の螺子部を、螺着する構成とした犬、猫、害虫、又は鳥除け装置であって、
前記防除杆は、０．５ｍ〜２ｍの長さを有するとともに、この防除杆は、前記回転体に取付け時、水平状態を確保できるプラスチック、又はステンレス、カーボンファイバーの何れかでなる素材で構成したことを特徴とする犬、猫、害虫、又は鳥除け装置。
【発明の詳細な説明】
【技術分野】
【０００１】
本発明は、圃場、果樹園等に飛来し、或いはその周辺に生息して農作物、播種後の種子、又は果実等に関する、犬、猫、鳥、害虫、或は猪、猿、鹿、熊等であり、犬、猫、鳥等の小害動物、鳥類であって、特に食害する野鳥等を追払う、犬、猫、害虫、又は鳥除け装置（犬、猫、害虫、又は鳥等除け装置）に関する。
【背景技術】
【０００２】
この種の犬、猫、害虫又は鳥除け装置で、特に、鳥除け装置において、回転する棒材、杆体等の細い素材を、旋回して、鳥を威嚇する装置（旋回式鳥除け装置とする）は簡便であり、ネット（ネットでは、このネットと農作物との隙間より、鳥が侵入することが間々発生する）に対して有益性があることから、実用価値がある。
【０００３】
この旋回式鳥除け装置としては、例えば、実開昭６３−１１４１９３号公報の「回転鳥追い装置」の考案がある（文献１）。この考案は、旋回する回転腕の先端に、反射リボンを設けること、また、この回転腕の基端が設けられた回転盤を、電動機、又は風力回転羽で回転する構造である。しかし、この考案では、風力回転羽は、風速計の羽根を模したものであることから、回転腕とは別体の軸及び羽根支持杆を備えた構造となる。従って、構造が複雑となること、また、回転腕は、撓み構造であり、十分な拡散効果は期待できないこと、等の問題が考えられる。次に、同様な考案として、実開昭５８−１００５８４号公報の「野鳥追払い装置」の考案がある（文献２）。この考案は、文献１と同じ原理であり、かつ構造の簡略化に役立っている。しかし、この考案は、アームの先端に、風受部を配備する構造である。従って、旋回時（回転時）に、アームへの負担が多くなること、旋回への障害となり、スムースな旋回が期待できないこと、並びに騒音の問題が発生する蓋然性があること、等の改良点がある。さらには、アームの長さに限界があり、初期の目的である、野鳥追払いに対する期待感が持てないと考えられる。
【０００４】
また、その他として、特開２００３−２０４７５１号公報の「鳥害防止」の発明がある（文献３）。この発明は、支柱に回転自在、かつ上下動可能な弾性体でなる糸状材を設けた構造であり、風力等の動力源で、この糸状体を旋回する構造である。この発明では、効果は期待できるが、糸状材の動きが複雑であり、故障の原因となる問題と、その他として、例えば、動きがランダムである特徴はあるが、必ずしも、鳥害防止に有効とは考えられない。この風力で旋回するとしても、垂れ下った糸状体を、如何に確実、かつスムースに旋回できるかは、保証されていないと考えられる。
【０００５】
【特許文献１】実開昭６３−１１４１９３号公報
【特許文献２】実開昭５８−１００５８４号公報
【特許文献３】特開２００３−２０４７５１号公報
【発明の概要】
【発明が解決しようとする課題】
【０００６】
本発明は、前記文献１−３では解決できない、下記の特徴を発揮することを意図する。
「イ」  防除杆の水平状態を、確保できる構造を採用することで、例えば、回転時に、この防除杆への負担（防除杆の中心より先端側）を軽減しつつ、スムースな回転（旋回）を可能とすること、
「ロ」  防除杆（犬、猫、害虫、又は鳥除け杆）の基端部近くに、風受け部を設けることで、前記回転時に、この防除杆への負担を軽減しつつ、スムースな回転を可能とすること、
「ハ」  防除杆の長さ（例えば、０．５ｍ〜２ｍ）を確保すること、及び防除杆の先端部の垂れをなくし、回転エリアを確保しつつ、この回転エリアでの空気の乱流を介して、鳥類の嫌がる振動を確保すること、
「ニ」  防除杆を軽量素材で構成し、長さの確保と、この長さゆえの特徴を発揮すること、
「ホ」  各パーツを、螺着脱自在とすることで、収容の容易化と、故障時において、各パーツ部品を簡易、かつ低コスト、並びに廃材を少なくして取替えること、また手作業で行えること、
「ヘ」  支持杆に風受け部を設け、この支持杆を回転体に配備することで、防除杆に掛かる負担の軽減と、この防除杆のスムースな回転を保証すること、
【課題を解決するための手段】
【０００７】
請求項１の発明は、前記「イ」〜「ホ」を達成できる。
【０００８】
請求項１は、柱と、この柱の上端の螺子部に、回転体を備えた筒部を螺着し、この筒部に設けた本体部を備えた前記回転体を、前記柱に支持し、この回転体の放射方向に取付けた複数の螺孔に複数本の防除杆の螺子部を螺着するとともに、この防除杆には、一個の螺孔を開設し、この一個の螺孔に一個の風受け部の螺子部を、螺着する構成とした犬、猫、害虫、又は鳥除け装置であって、
前記防除杆は、０．５ｍ〜２ｍの長さを有するとともに、この防除杆は、前記回転体に取付け時、水平状態を確保できるプラスチック、又はステンレス、カーボンファイバーの何れかでなる素材で構成したことを特徴とする犬、猫、害虫、又は鳥除け装置である。
【０００９】
請求項１の発明は、前記「イ」〜「へ」を達成できる。
【００１０】
請求項２は、柱と、この柱の上端の螺子部に、回転体を備えた筒部を螺着し、この筒部に設けた本体部を備えた前記回転体を、前記柱に支持し、この回転体の放射方向に取付けた複数の螺孔に複数本の防除杆の螺子部を螺着するとともに、この複数本の防除杆の間に、前記回転体の放射方向に取付けた複数の螺孔に複数本の支持杆を螺着し、この支持杆には、一個の螺孔を開設し、この一個の螺孔に一個の風受け部の螺子部を、螺着する構成とした犬、猫、害虫、又は鳥除け装置であって、
前記防除杆は、０．５ｍ〜２ｍの長さを有するとともに、この防除杆は、前記回転体に取付け時、水平状態を確保できるプラスチック、又はステンレス、カーボンファイバーの何れかでなる素材で構成したことを特徴とする犬、猫、害虫、又は鳥除け装置である。
【発明の効果】
【００１９】
請求項１の発明は、柱と、柱の上端の螺子部に、回転体を備えた筒部を螺着し、筒部に設けた本体部を備えた回転体を、柱に支持し、回転体の放射方向に取付けた複数の螺孔に複数本の防除杆の螺子部を螺着するとともに、防除杆には、一個の螺孔を開設し、一個の螺孔に一個の風受け部の螺子部を、螺着する構成とした犬、猫、害虫、又は鳥除け装置であって、
防除杆は、０．５ｍ〜２ｍの長さを有するとともに、防除杆は、回転体に取付け時、水平状態を確保できるプラスチック、又はステンレス、カーボンファイバーの何れかでなる素材で構成したことを特徴とする犬、猫、害虫、又は鳥除け装置である。
【００２０】
従って、請求項１の発明は、下記の「イ」〜「ホ」の効果を有する。
「イ」  防除杆の水平状態を、確保できる構造を採用することで、例えば、回転時に、この防除杆への負担を軽減しつつ、スムースな回転（旋回）が可能となること、
「ロ」  防除杆の基端部近くに、風受け部を設けることで、前記回転時に、この防除杆への負担を軽減しつつ、スムースな回転が可能となること、
「ハ」  防除杆の長さ（例えば、０．５ｍ〜２ｍ）を確保すること、及び防除杆の先端部の垂れをなくし、回転エリアを確保しつつ、この回転エリアでの空気の乱流を介して、鳥類の嫌がる振動を確保できること、
「ニ」  防除杆を軽量素材で構成し、長さの確保と、この長さゆえの特徴を発揮できること、
「ホ」  各パーツを、螺着脱自在とすることで、収容の容易化と、故障時において、各パーツ部品を簡易、かつ低コスト、並びに廃材を少なくして取替できること、また手作業でできること、
【００２１】
請求項２の発明は、柱と、柱の上端の螺子部に、回転体を備えた筒部を螺着し、筒部に設けた本体部を備えた前記回転体を、柱に支持し、回転体の放射方向に取付けた複数の螺孔に複数本の防除杆の螺子部を螺着するとともに、複数本の防除杆の間に、回転体の放射方向に取付けた複数の螺孔に複数本の支持杆を螺着し、支持杆には、一個の螺孔を開設し、一個の螺孔に一個の風受け部の螺子部を、螺着する構成とした犬、猫、害虫、又は鳥除け装置であって、
防除杆は、０．５ｍ〜２ｍの長さを有するとともに、防除杆は、回転体に取付け時、水平状態を確保できるプラスチック、又はステンレス、カーボンファイバーの何れかでなる素材で構成したことを特徴とする犬、猫、害虫、又は鳥除け装置である。
【００２２】
従って、請求項２は、前記「イ」〜「ホ」の他に、下記の「へ」の効果を有する。
「ヘ」  支持杆に風受け部を設け、この支持杆を回転体に配備することで、防除杆に掛かる負担の軽減と、この防除杆のスムースな回転を保証できること、
【図面の簡単な説明】
【００２７】
【図１】第一実施例を示した平面図
【図２】第一実施例の側面図
【図２−１】第一実施例における回転体の一例であり、三本の防除杆を取付けできる構造の一部欠截の拡大平面図
【図２−２】第一実施例における回転体の一例であり、四本の防除杆を取付けできる構造の一部欠截の拡大平面図
【図２−３】第一実施例における回転体の一例であり、五本の防除杆を取付けできる構造の一部欠截の拡大平面図
【図３】第一実施例における風受け部の一例を示した拡大側面図
【図４】第一実施例において、防除杆を細い構造とした際に、この防除杆と風受け部との関係を説明する一部欠截の要部の拡大正面図
【図５】第一実施例における柱と、回転体、及び防除杆との関係を示した拡大断面図
【図６】第二実施例を示した要部の側面図
【図７】第三実施例を示した平面図
【図８】第一実施例（他の実施例を含む。以下同じ）における使用状態の一例を示した側面図
【図９】第一実施例における使用状態の他の一例を示した側面図
【図１０】第一実施例における使用状態のさらに一例を示した側面図
【図１１】第一実施例における使用状態で、設置場所の他の一例を示した側面図
【発明を実施するための形態】
【００２８】
１は圃場（稲畑Ｇ）に立設される柱で、この柱１の上部には軸受け２（ハブ構造）を介して回転体３が、回転自在、かつ着脱自在に設けられている。この回転体３は、柱１の上部の螺子部に螺着、嵌合される螺子を刻設した筒部３００と、この筒部３００の上に設けた軸受け２と、この筒部３００と軸受け２とに支持される環状の本体部３０１とで構成される。この柱１と回転体３の着脱構造は一例であり、図示しないが、嵌合、差込、遊嵌等の構造もあり得る。そして、この回転体３には、少なくとも三本の螺孔５（取付け部）を設けられている。この螺孔５には、それぞれ防除杆６（杆の他に、板、杆と板の組合せ等である）の螺子部６００が螺着されている（取付けられている）。この螺孔５の数は、例えば、図２−１〜図２−３に示したように、三本から五本とするが一例である。いずれにしても、バランスよく回転体３が回転できることが必要である。この種の螺着構造では、取付け、取外しが自由であり、防除杆６（パーツ）の交換ができ、例えば、故障、寸法選択・強風時の取替え、収容、形状変更等の際に有効である（その他のパーツも同じ）。そして、この防除杆６は、プラスチック、線材か、又はステンレス、カーボンファイバーでなる、軽量で耐水性と、耐風性を備えた構造とする。その形状は、杆材の他に、板材、螺旋形状、又は節付き杆材等が良い。そして、この防除杆６は、回転体３に取付けた状態において、後述するように、風受け部で、自然の風Ｗを受けて、回転する際に、この防除杆６とともに、回転体３が回転するとともに、この回転時において、例えば、地面ＧＬに対して、略水平状態に保持されることが必要である。
【００２９】
この防除杆６には、自然の風Ｗを受け入れる（捉える）風受け部７が設けられており、第一実施例と第二実施例では、基端部６０１近くに、設ける構造とし、前述の如く、回転時に、この防除杆６への負担を軽減しつつ、スムースな回転を図る。また、この防除杆６のブレ防止と、騒音防止等を図る。そして、この防除杆６の長さを、例えば、０．５ｍ〜２ｍとすることで、回転エリアを確保しつつ、この回転エリアでの空気の乱流を介して、鳥類の嫌がる振動（低周波振動）を確保できる特徴がある。この風受け部７は、プラスチック、枠付き布地か、又はステンレス、カーボンファイバーでなる、軽量で耐水性と、耐風性を備えた構造で、かつ椀形形状とする。その収れん底部７ａには、螺子部７００を有しており、防除杆６に設けた螺孔６０２に螺着する。この螺着方式では、取付け、取外しが自由であり、前記防除杆６に準ずる。また、この螺着は一例であり、接着、挾持構造による取付けもあり得る（他のパーツも同じ）。そして、防除杆６が細径の例では、図４の如く、螺孔６０２を設ける箇所を太径とすることもあり得る。
【００３０】
図６に示した第二実施例では、無風状態に対応する構造であり、支柱１にソーラーパネル８とバッテリー１０を配備する構造であり、この無風状態での防除杆６の回転を図る。また、図示しないが、回転体３、及び／又は、防除杆６の回転で、発電機を回して、バッテリー１０に蓄電する構造も可能である。さらに、ソーラーパネル８は、太陽光に追従するハイブリット構造も可能である。尚、この第二実施例においても、主たる構造は、第一実施例と同じであり、風受け部７で、自然の風Ｗを受けて、防除杆６が回転することは同じである。そして、風Ｗがないとき（無風状態）において、バッテリー１０よりコード１１と図示しないモータを利用して、回転体３を回転する構造である。
【００３１】
そこで、第一・第二実施例が、風Ｗを受け防除杆６が回転する一例を説明すると、例えば、図１の如く、風Ｗを向かって右から左に向かって吹いている状態では、（ａ）の位置にある風受け部７が最も受けて、反時計方向への回転Ｘとなる。勿論、（ｂ）の位置にある風受け部７も一部の風Ｗを受ける。従って、反時計方向への回転Ｘの補助となる。一方、（ｃ）の位置にある風受け部７は、風Ｗの抵抗を受けるが、その背面側７ｂであり、抵抗の程度は僅少である。以上の動作が繰返され、防除杆６が所定の速さで、水平状態で回転すること、また、この回転が継続することで、前述した効果、（イ）〜（ハ）等が期待できる。尚、図示しないが、必要により、強風時には、停止機構を活用することもあり得る。また、強風時には、少なくとも、防除杆６、及び／又は、風受け部７を取外すことも可能であり、故障・騒音の解消と、人・物的被害の解消等に有効である。尚、第二実施例における無風状態に関しては、前述の通りである。
【００３２】
図７に示した第三実施例では、風受け部７を防除杆６に取付けず、回転体３の螺孔５に着脱自在に設けた支持杆６−１に、別に取付ける構造である。そして、この長さ関係を、防除杆６＞支持杆６−１とし、この防除杆６への負担の軽減と、スムースな回転、並びに撓み防止と、この防除杆６の小径化等を意図する。この一例では、図示の如く、防除杆６、及び／又は、風受け部７の機能上の確保と、風受け部７への風Ｗの集積を意図して、間欠的に設ける構造とする。また、図示しないが、防除杆６の水平位置に対して、支持杆６−１、及び／又は、風受け部７を上方、又は下方に設け、この両者の干渉を回避する構造も可能である。その他の構造は、前述の第一・第二実施例に準ずる。この第三実施例は、風受け部７を、支持杆６−１とする構造で、支持杆６−１が防除杆６の代替となる。従って、この支持杆６−１を使用せず、第一実施例の風受け部７付きの防除杆６を使用することも可能であり、この図示しない例では、犬、猫、カラス等の大型動物、鳥に有効と考えられる。また、微風地域の設置とか、微風時に有益と考えられる。
【００３３】
図８は、本発明（第一実施例〜第三実施例、又は図示しない、別の実施例）の使用状態で、稲畑Ｇに設置した一例であり、図示しないが、稲畑Ｇの広さに対応して、数基設置し、効率的に、犬、猫、害虫、又は鳥除けを図る。また、稲Ｇ１との間に空間１２を設けて設置し、耕作空間・安全性の確保と、稲Ｇ１への悪影響を回避する。また、稲Ｇ１間にある鳥、虫、小動物等の死骸に向って、移動する犬、猫等の排除を図る。
【００３４】
そして、図９の例では、防除杆６に、ひらひらなびく紐１３を吊下げ、この防除杆６の回転時に、犬、猫、害虫、又は鳥等を、威嚇するとともに、確実かつ瞬時に排除する。また、図９の例では、防除杆６に、ひらひらなびき、かつ反射するラメ部材１５（樹脂製、紙製等のラメ帯、ラメひも、又はラメ短冊等）、又は図示しないラメ紐を吊下げ、この防除杆６の回転時に、前述と同様に威嚇等を図る。さらに、図１０の例では、境界Ｙからの犬、猫等の侵入防止を図るために、この境界Ｙに、複数本立設した使用例を示している。
これらの例においても、犬、猫等の侵入防止は前述の例に準ずる。
【００３５】
以上の各実施例は、好ましい各例を示したものであり、この各実施例に限定されず、その他の実施例でも、同じ効果と作用を備えた構造は、本発明の範疇である。
【符号の説明】
【００３６】
１        柱
２        軸受け
３        回転体
３００    筒部
３０１    本体部
５        螺孔
６        防除杆
６−１    支持杆
６００    螺子部
６０１    基端部
６０２    螺孔
７        風受け部
７ａ      底部
７ｂ      背面側
７００    螺子部
８        ソーラーパネル
１０      バッテリー
１１      コード
１２      空間
１３      紐
１５      ラメ部材
Ｇ        稲畑
Ｇ１      稲
ＧＬ      地面
Ｗ        風
Ｘ        回転
Ｙ        境界
【図１】
0005969187.tif 000002
【図２】
0005969187.tif 000003
【図２−１】
0005969187.tif 000004
【図２−２】
0005969187.tif 000005
【図２−３】
0005969187.tif 000006
【図３】
0005969187.tif 000007
【図４】
0005969187.tif 000008
【図５】
0005969187.tif 000009
【図６】
0005969187.tif 000010
【図７】
0005969187.tif 000011
【図８】
0005969187.tif 000012
【図９】
0005969187.tif 000013
【図１０】
0005969187.tif 000014
【図１１】
0005969187.tif 000015